(57)【要約】【課題】  モニタに対して撮像部が広範囲で相対移動可能に構成された撮像表示装置を提供すること。【解決手段】  撮像表示装置１は、被写体の映像を表示するモニタ２を有する本体部３と、被写体の像を取り込む撮像部４と、本体部３と撮像部４とを連結する管状の連結部５を備え、連結部５が、直線状態と湾曲状態とに変形可能に構成されることで、本体部３に対して撮像部４が相対移動可能に構成されている。【選択図】      図３
2006101001.tif 000002
【特許請求の範囲】
【請求項１】
被写体の映像を表示するモニタを有する本体部と、上記被写体の像を取り込む撮像部とを備える撮像表示装置であって、
上記本体部と上記撮像部とを連結する管状の連結部を備え、
該連結部が、直線状態と湾曲状態とに変形可能に構成されることで、上記本体部に対して上記撮像部が相対移動可能に構成されていることを特徴とする撮像表示装置。
【請求項２】
前記連結部は、前記直線状態および前記湾曲状態で、前記撮像部の自重を支えることができる剛性を有することを特徴とする請求項１記載の撮像表示装置。
【請求項３】
前記本体部は、扁平面と、該扁平面に略直交する厚み方向に形成された側面とを有する扁平形状に形成され、前記撮像部と前記連結部とは、上記側面に沿って配置可能に構成されていることを特徴とする請求項１または２記載の撮像表示装置。
【請求項４】
前記撮像部と前記連結部とが前記側面に沿って配置された状態では、前記撮像部および前記連結部の前記厚み方向の外形寸法が前記本体部の厚み以下であることを特徴とする請求項３記載の撮像表示装置。
【請求項５】
前記モニタは、前記扁平面が前記モニタの表示面となるように配置されていることを特徴とする請求項３または４記載の撮像表示装置。
【発明の詳細な説明】
【技術分野】
【０００１】
本発明は、被写体の像を取り込む撮像部と、被写体の映像を表示するモニタとを備える撮像表示装置に関するものである。
【背景技術】
【０００２】
従来より、ビデオカメラやデジタルスチルカメラ等として、被写体の像を取り込む撮像部に加え、この撮像部から取り込まれた被写体の映像を表示するモニタを備える撮像表示装置が知られている。この種の撮像表示装置では、一般に、撮影者は、被写体の映像をモニタで確認しながら撮影を行っている。そのため、撮影者がモニタを確認しやすい状態で、撮像部を被写体に向ける必要がある。そこで、モニタに対して、撮像部が相対移動できる構成を備えた撮像表示装置が広く採用されている（たとえば、特許文献１参照）。
【０００３】
特許文献１に記載の撮像表示装置（ビデオカメラ）では、レンズを有する撮像部（カメラ部）やレコーダ部などを備える本体部（ビデオカメラ本体）と、モニタ（液晶モニタ）とがヒンジ機構によって連結されている。ヒンジ機構は、モニタを本体部へ近接収納する収納形態と、モニタを本体部から引き離して展開する展開形態とにモニタを移動可能にする第１の回転軸を備えている。また、ヒンジ機構は、第１の回転軸に直交する第２の回転軸を備え、モニタは、展開状態で、この第２の回転軸を中心に回動可能に構成されている。すなわち、撮像部を備える本体部はモニタに対して相対回転可能に構成されており、撮影者は確認しやすい位置にモニタを回転移動させながら、被写体の撮影が行われる。
【０００４】
【特許文献１】特開２００１−２４８６２９号公報（段落番号０００８〜００１２、図１、図２、図７等参照）
【発明の開示】
【発明が解決しようとする課題】
【０００５】
しかしながら、上記特許文献１に記載された撮像表示装置では、撮像部が、モニタに対して第２の回転軸を中心に相対回転可能に構成されていることから、モニタに対する撮像部の相対可動範囲は、第２の回転軸を中心とする回転方向に限られている。そのため、被写体の位置によっては、撮影時にモニタで被写体の映像の確認を行うことができないといった問題が生じる。
【０００６】
そこで、本発明の課題は、モニタに対して撮像部が広範囲で相対移動可能に構成された撮像表示装置を提供することにある。
【課題を解決するための手段】
【０００７】
上記の課題を解決するため、本発明は、被写体の映像を表示するモニタを有する本体部と、被写体の像を取り込む撮像部とを備える撮像表示装置であって、本体部と撮像部とを連結する管状の連結部を備え、連結部が、直線状態と湾曲状態とに変形可能に構成されることで、本体部に対して撮像部が相対移動可能に構成されていることを特徴とする。
【０００８】
本発明では、撮像表示装置が、モニタを有する本体部と撮像部とを連結する連結部を備え、その連結部が直線状態と湾曲状態とに変形可能に構成されることで、本体部に対して撮像部が相対移動可能に構成されている。そのため、連結部を直線状態あるいは湾曲状態に変形させることで、本体部に対して、すなわち、モニタに対して撮像部の位置を柔軟に移動させることができる。したがって、モニタに対して撮像部が広範囲で相対移動可能となる。その結果、撮影時にモニタで被写体の映像を確認しやすくなる。
【０００９】
本発明において、連結部は、直線状態および湾曲状態で、撮像部の自重を支えることができる剛性を有することが好ましい。ここで、本明細書において、「連結部が撮像部の自重を支えることができる剛性を有する」とは、外力が加わらない状態における撮像部の本体部に対する相対位置を連結部のみによって維持できる程度の剛性を連結部が有することをいうものとする。このように構成すると、撮像部を被写体に向けた状態で、本体部に対する撮像部の位置を維持することができるため、撮影時において、撮影者が撮像部を保持する必要がなくなり、撮影時における撮影者の負担が軽減される。
【００１０】
本発明において、本体部は、扁平面と、扁平面に略直交する厚み方向に形成された側面とを有する扁平形状に形成され、撮像部と連結部とは、側面に沿って配置可能に構成されていることが好ましい。ここで、本明細書において、「扁平面」とは、側面に比べて大きな表面積を有する平面をいい、「扁平形状」とは、側面の厚み方向寸法が小さい厚みの薄い形状をいうものとする。このように構成すると、たとえば、撮像表示装置の不使用時においては、撮像部と連結部とを側面に沿って配置することで、撮像表示装置を厚み方向でコンパクト化することができる。そのため、撮像表示装置の持ち運びが容易になる。また、所定の収納容器に撮像表示装置を収納する際に、撮像表示装置をコンパクトに収納することができる。
【００１１】
また、このように構成した場合、撮像部と連結部とが側面に沿って配置された状態では、撮像部および連結部の厚み方向の外形寸法が本体部の厚み以下であることが好ましい。このように構成すると、撮像部と連結部を側面に沿って配置したとき、撮像表示装置を厚み方向で更にコンパクト化することができる。
【００１２】
本発明において、モニタは、扁平面がモニタの表示面となるように配置されていることが好ましい。このように構成すると、モニタの表示面積を大きくすることができ、撮影時に被写体の映像を確認しやすくなる。
【発明の効果】
【００１３】
本発明にかかる撮像表示装置では、モニタに対して撮像部を広範囲で相対移動させることができる。
【発明を実施するための最良の形態】
【００１４】
以下、本発明を実施するための最良の形態を図面に基づいて説明する。
【００１５】
（撮像表示装置の構成）
図１は、本発明の実施の形態にかかる撮像表示装置１を示す斜視図である。図２は、図１に示す撮像表示装置１の撮像部４および連結部５を示す断面図である。図３は、図１に示す撮像表示装置１の連結部５が湾曲した状態を示す斜視図である。
【００１６】
本形態の撮像表示装置１は、撮影者が被写体の映像を確認しながら撮影を行うビデオカメラ、デジタルスチルカメラ等の撮像表示装置であり、被写体の映像を表示するモニタ２を有する本体部３と、被写体の像を取り込む撮像部４とを備えている。また、撮像表示装置１は、本体部３と撮像部４とを連結する連結部５を備えている。より具他的には、撮像部４は、連結部５を介して本体部３に対して近接した状態で配置されている。さらに、本形態における撮像表示装置１は、カード型のものであり、たとえば、その外形は、横幅８５ｍｍ、縦幅５５ｍｍ、厚み５．５ｍｍの略直方体形状をしている。なお、図１に示すように、本体部３が備える長方形状の扁平面３ａ１の長辺の方向が撮像表示装置1の横幅方向（Ｘ方向）、扁平面３ａ１の短辺の方向が撮像表示装置１の縦幅方向（Ｙ方向）、扁平面３ａ１に略直交する方向が撮像表示装置１の厚み方向（Ｚ方向）となる。
【００１７】
図１に示すように、本体部３は、扁平な直方体形状に形成された基部３ａと、連結部５が接続される接続部３ｂとから構成されている。
【００１８】
基部３ａは、比較的大きな表面積を有する平行に配置された２つの長方形状の扁平面３ａ１と、扁平面３ａ１の２つの短辺から厚み方向（Ｚ方向）に平行に形成された２つの側面３ａ２と、扁平面３ａ１の２つの長辺から厚み方向（Ｚ方向）に平行に形成された２つの側面３ａ３とを備えており、側面３ａ２、３ａ３の厚み方向寸法が小さい厚みの薄い形状、すなわち、扁平形状に形成されている。なお、図１では、２つの扁平面３ａ１のうちの一方のみに符号を付している。同様に、２つの側面３ａ２のうちの一方のみ符号を付し、また、２つの側面３ａ３のうちの一方のみに符号を付している。本形態では、基部３ａの厚みは５．５ｍｍとなっており、基部３ａの厚みが、撮像表示装置１の厚みとなっている。この基部３ａには、モニタ２の他、図示を省略するデータ記録部等の制御部やバッテリなどが配設されている。
【００１９】
接続部３ｂは、２つの側面３ａ３の一方からＹ方向外側に向かって突出した直方体形状に形成されている。より具体的には、接続部３ｂは、基部３ａと同じ厚みで基部３ａの１つの角部に設けられており、２つの扁平面３ａ１とそれぞれ同一面となる２つの面と、側面３ａ２の一方と同一面となる面と、側面３ａ３に直交する直交面３ｂ１と、曲面状の頭部面３ｂ２とを備えている。この直交面３ｂ１には、連結部５の一端がその面から突出するように接続されており、連結部５および撮像部４は、側面３ａ３に沿って配置可能になっている。なお、基部３ａに対する接続部３ｂのＹ方向の突出量は、後述する連結部５および撮像部４の外径とほぼ同程度となっており、本形態では、この突出量は５．５ｍｍとなっている。
【００２０】
モニタ２は、液晶モニタ等の長方形をした薄型モニタであり、その表示面が一方の扁平面３ａ１となるように配置されている。本形態では、モニタ２が配置された扁平面３ａ１の表面積の大半は、モニタ２の表示面が占めている。
【００２１】
扁平面３ａ１におけるモニタ２のＸ方向の一方側の側方には、操作ボタン６が設けられている。本形態では、４つの操作ボタン６がＹ方向に並ぶように配置されており、これらの操作ボタン６によって、被写体の撮影が行われたり、撮影された映像の再生が行われるようになっている。
【００２２】
図２に示すように、撮像部４は、円筒形状の保持筒７と、保持筒７の内周側に保持されたレンズ群８および撮像素子９を備えている。なお、図２においては、後述する各湾曲駒を省略し、複数の湾曲駒が一体となった管状の連結部５を示している。
【００２３】
保持筒７はその基端が連結部５に接続されている。また、保持筒７の外径は、基部３ａの厚み、すなわち、本体部３の厚み以下となっている。本形態では、保持筒７の外径は、５ｍｍとなっている。また、レンズ群８は、被写体の像を撮像素子９に結像させるための５枚のレンズ１０、１１、１２、１３、１４から構成されており、撮像部４の先端４ａからこの順番で保持筒７の内周側に保持されている。
【００２４】
撮像素子９は、レンズ群８によって結像された光を電気信号に変換するものであり、たとえば、ＣＣＤ（Ｃｈａｒｇｅ  Ｃｏｕｐｌｅｄ  Ｄｅｖｉｃｅ）である。この撮像素子９は、撮像素子ホルダ１５に固定されており、この撮像素子ホルダ１５を介して保持筒７の内周側に保持されている。また、撮像素子９には、複数の配線１６の一端が接続されている。なお、撮像素子９は、ＣＣＤには限定されず、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）であっても良い。
【００２５】
連結部５は、図１に示す直線状態と、図３に示す湾曲状態とに変形可能な管状に構成されており、それによって、本体部３に対して撮像部４が相対移動可能に構成されている。また、連結部５は、直線状態および湾曲状態で、撮像部４の自重を支えることができる剛性を有するように構成されている。すなわち、連結部５は、外力を受けていない状態において、本体部３に対して設定された撮像部４の相対位置を連結部５のみによって維持できる程度の剛性を有するように構成されている。
【００２６】
より具体的には、連結部５は、多数の湾曲駒（図示省略）から構成されており、これらの湾曲駒が互いに隣接するように連続して接続されている。湾曲駒は、隣接する湾曲駒に対して互いに回動可能になっている。そのため、隣接する一方の湾曲駒に対する他方の湾曲駒の傾斜角度を柔軟に変化させることができるようになっており、連結部５は、直線状態と湾曲状態とに変形可能となっている。特に本形態では、連結部５は、図３に示すように、本体部３を固定した状態で、ＸＹＺ方向のあらゆる方向に撮像部４の先端４ａを向けることができるようになっている。すなわち、連結部５は、本体部３を固定した状態で、あらゆる方向の被写体を撮影できるように構成されている。
【００２７】
また、湾曲駒は、隣接する湾曲駒との間に生じる摩擦力によって、直線状態および湾曲状態を維持できるようになっている。この湾曲駒間に生じる摩擦力によって、連結部５は、外力が加わらない状態における撮像部４の本体部３に対する相対位置を連結部５のみによって維持できる程度の剛性を有することになっている。
【００２８】
さらに、本形態では、連結部５は、図２に示すように全体としては、円管状に形成されており、その外径は、基部３ａの厚み、すなわち、本体部３の厚み以下となっている。本形態では、連結部５の外径は、保持筒７の外径と同様に５ｍｍとなっている。また、連結部５の内部には、一端が撮像素子９に接続された複数の配線１６が挿通されている。配線１６の他端は、基部３ａに配設された制御部に接続されている。
【００２９】
なお、連結部５は、上述のような湾曲駒を用いる構成には限定されない。たとえば、直線状態と湾曲状態とに変形可能でかつ、撮像部４の自重を支えることができる剛性を有することができるポリマー樹脂を用いて管状の連結部５を構成しても良い。また、連結部５は、細い帯状の金属の弾性薄板を螺旋状に巻いて形成した螺旋管状のものであっても良い。
【００３０】
本形態においては、連結部５が図１に示すように直線状態となって、連結部５および撮像部４が本体部３の側面３ａ３に沿って配置された状態では、接続部３ｂのＸ方向の長さと、撮像部４のＸ方向の長さと、連結部５のＸ方向の長さとの和は、本体部３の横幅以下となるように構成されている。
【００３１】
以上のように構成された撮像表示装置１では、不使用時すなわち、撮影を行わない時には、通常、図１に示すように、連結部５が直線状態となって、撮像部４と連結部５とが側面３ａ３に沿って配置される。また、被写体の撮影時には、通常、図３に示すように、連結部５が湾曲状態となり、被写体に対して撮像部４の先端４ａが向けられて、モニタ２で被写体の映像を確認しながら、被写体の撮影が行われる。なお、図１に示す状態で、被写体の撮影を行うことも可能である。
【００３２】
（本形態の主な効果）
以上説明したように、本形態の撮像表示装置１は、本体部３と撮像部４とを連結する連結部５を備え、その連結部５が直線状態と湾曲状態とに変形可能に構成されることで、本体部３に対して撮像部４が相対移動可能に構成されている。そのため、連結部５を直線状態あるいは湾曲状態に変形させることで、本体部３に対して、すなわち、モニタ２に対して撮像部４の位置を柔軟に移動させることができ、モニタ２に対して撮像部４が広範囲で相対移動可能となる。したがって、モニタ２で被写体の映像を確認しながら、広範囲にわたって被写体の撮影ができるようになる。
【００３３】
特に本形態では、連結部５は、図３に示すように、本体部３を固定した状態で、ＸＹＺ方向のあらゆる方向に撮像部４の先端４ａを向けることができるように構成されている。そのため、モニタ２で被写体の映像を確認しながら、あらゆる方向の被写体の撮影ができる。
【００３４】
本形態では、連結部５は、直線状態および湾曲状態で、撮像部４の自重を支えることができる剛性を有している。そのため、撮像部４を被写体に向けた状態で撮像部４に外力が加わらなければ、連結部５のみで本体部３に対する撮像部４の位置を維持することができる。したがって、撮影時において、撮影者が撮像部４を保持する必要がなくなり、撮影時における撮影者の負担が軽減される。
【００３５】
本形態では、本体部３は、扁平面３ａに略直交する厚み方向に形成された側面３ａ３に沿って、撮像部４と連結部５とが配置可能に構成されている。そのため、たとえば、撮像表示装置１の不使用時においては、撮像部４と連結部５を側面３ａ３に沿って配置することで、本体部３が扁平形状に形成された撮像表示装置１を厚み方向（Ｚ方向）でコンパクト化することができる。したがって、撮像表示装置１の持ち運びが容易になる。また、所定の収納容器に撮像表示装置１を収納する際には、撮像表示装置１を収納容器内にコンパクトに収納することができる。
【００３６】
また、本形態では、円筒形状に形成された保持筒７の外径すなわち撮像部４の外径、および、円管状に形成された連結部５の外径が、本体部３の厚み以下となっている。そのため、撮像部４と連結部５を側面３ａ３に沿って配置したとき、撮像表示装置１を厚み方向（Ｚ方向）でコンパクト化することができる。
【００３７】
特に本形態では、連結部５および撮像部４の外径が、本体部３の基部３ａに対する接続部３ｂのＹ方向の突出量とほぼ同程度となっている。そのため、撮像部４と連結部５を側面３ａ３に沿って配置したとき、撮像表示装置１を縦幅方向（Ｙ方向）でもコンパクト化することができる。また、連結部５および撮像部４が、本体部３の側面３ａ３に沿って配置された状態では、接続部３ｂのＸ方向の長さと、撮像部４のＸ方向の長さと、連結部５のＸ方向の長さとの和は、本体部３の横幅以下となるように構成されている。そのため、撮像部４と連結部５を側面３ａ３に沿って配置したとき、撮像表示装置１を横幅方向（Ｘ方向）でもコンパクト化することができる。
【００３８】
本形態では、モニタ２は、その表示面が扁平面３ａとなるように配置されている。そのため、モニタ２の表示面積を大きくすることができ、撮影時に被写体の映像を確認しやすくなる。その結果、撮像表示装置１を、たとえば、その外形が、横幅８５ｍｍ、縦幅５５ｍｍ、厚み５．５ｍｍの略直方体形状となる小型かつ薄型のカード型とすることができる。
【００３９】
（他の実施の形態）
上述した形態は、本発明の好適な形態の一例ではあるが、これに限定されるものではなく本発明の要旨を変更しない範囲において種々変形可能である。たとえば、上述した形態では、本体部３は基部３ａと接続部３ｂとから構成されていたが、図４に示す撮像表示装置５１のように、扁平な直方体形状に形成された基部５３ａのみから本体部５３を構成しても良い。この撮像表示装置５１は、モニタ５２を有する本体部５３と、撮像部５４と、本体部５３と撮像部５４とを連結する連結部５５とを備えている。この図４に示す撮像表示装置５１の場合には、側面５３ａ３のＸ方向の一端側に連結部５５の一端を側面５３ａ３から突出するように接続して、連結部５５および撮像部５４を側面５３ａ３に沿って配置可能となるように構成すれば良い。
【００４０】
また、上述した形態では、撮像部４は、円筒形状の保持筒７を備えていたが、図４に示すように角筒形状の保持筒を備えた撮像部５４であっても良い。この場合には、撮像部５４と連結部５５とを側面５３ａ３に沿って配置したとき、撮像部５４の厚み方向（Ｚ方向）の外形寸法が本体部５３の厚み以下となるように、撮像部５４を構成すれば良い。こうすることで、撮像表示装置５１を厚み方向（Ｚ方向）でコンパクト化することができる。
【００４１】
さらに、図４に示すように、撮像部５４に照明７０を設けても良い。また、用途に応じて撮像部４、５４あるいは、基部３ａ、５３ａに種々の機能を設けても良い。なお、図４における扁平面５３ａ１、測面５３ａ２、先端５４ａは、それぞれ、図１における扁平面３ａ１、測面３ａ２、先端４ａに相当する。
【００４２】
さらにまた、上述した各形態では、本体部３、５３を固定した状態で、ＸＹＺ方向のあらゆる方向に撮像部４、５４の先端４ａ、５４ａを向けることができるように構成されていたが、必ずしもこのように構成される必要はなく、モニタ２、５２に対して撮像部４、５４の位置を柔軟に移動させることができ、モニタ２、５２で被写体の映像を確認しながら、広範囲にわたって被写体の撮影ができるように構成されていれば良い。
【００４３】
また、上述した各形態では、本体部３、５３の基部３ａ、５３ａは、長方形状の扁平面３ａ１、５３ａ１を有する直方体形状に形成されていたが、基部は必ずしも直方体形状である必要はない。たとえば、本体部の基部は、楕円形状の扁平面を有するように形成されても良い。この場合には、扁平面に略直交する厚み方向に形成された側面は平面状ではなく曲面状となる。また、この場合にも、撮像部と連結部とを側面に沿って配置可能に構成することで、撮像表示装置を厚み方向でコンパクト化することができる。なお、この場合には、撮像部と連結部とが側面に沿って配置された状態では、連結部は曲面状の側面に沿って湾曲することになる。
【００４４】
さらに、上述した各形態では、本体部３、５３は扁平な直方体形状であったが、本体部は、扁平でない直方体形状であったり、球形状等の他の形状であっても良い。また、連結部は撮像部の自重を支えることができない程度の剛性を有するものであっても良い。さらに、連結部は、扁平面に接続されていても良い。また、上述した各形態では、モニタ２、５２をそれぞれ１つとしたが、２つの扁平面のそれぞれにモニタを配置するようにしても良い。また、不使用時に撮像部４、５４を本体部３、５３に固定する固定手段を、側面３ａ３、５３ａ３に設けるようにしても良い。
【００４５】
また、上述した各形態では、連結部５、５５が手動にて変形可能に構成されているが、モータ等の駆動手段によって自動的に変形するように構成したり、大まかな方向設定は自動とし、細かな方向設定は手動で行うように構成しても良い。さらに、撮像部４、５４は、本体部３、５３に対して近接した状態で配置されているが、この「近接した状態」は、扱いやすさの面から、撮像部４、５４が本体部３、５３から最も離れた状態で本体部３、５３の側面３ａ３、５３ａ３の長さの１／２以上で、かつ、側面３ａ３、５３ａ３の長さ以下であることが好ましい。また、この「近接した状態」は、撮像部４、５４が本体部３、５３から最も離れた状態で本体部３、５３の側面３ａ３、５３ａ３の長さを超え、その側面３ａ３、５３ａ３の２倍以下としても良い。
【図面の簡単な説明】
【００４６】
【図１】本発明の実施の形態にかかる撮像表示装置を示す斜視図である。
【図２】図１に示す撮像表示装置の撮像部および連結部を示す断面図である。
【図３】図１に示す撮像表示装置の連結部が湾曲した状態を示す斜視図で、（Ａ）はモニタの背面側に撮像部の先端を向けた状態を示す図、（Ｂ）はモニタ側に撮像部の先端を向けた状態を示す図である。
【図４】本発明の他の形態にかかる撮像表示装置を示す斜視図である。
【符号の説明】
【００４７】
１、５１  撮像表示装置
２、５２  モニタ
３、５３  本体部
３ａ１、５３ａ１  扁平面
３ａ３、５３ａ３  側面
４、５４  撮像部
５、５５  連結部
【図１】
2006101001.tif 000003
【図２】
2006101001.tif 000004
【図３】
2006101001.tif 000005
【図４】
2006101001.tif 000006